(57)【要約】    【課題】プリンタ及び／或いはスキャナの電源スイッチが入れられたときに動作を開始する複合機であって、２台目の装置の電源スイッチを入れるのが遅れても、再起動を行う必要がない複合機を、提供する。    【解決手段】プリンタ１１とスキャナ１２と操作パネルユニット１３とで構成される複合機１０を、操作パネルユニット１３として、プリンタ１１及び／或いはスキャナ１２の電源スイッチが投入されることにより、一旦、各部への電力供給が開始された後にも、プリンタ１１及びスキャナ１２のＯＮ／ＯＦＦ状態を監視し、プリンタ１１及びスキャナ１２のＯＮ／ＯＦＦ状態が変化した場合には、実行する制御処理を，変化後の各装置の状態に応じたものに変更するユニットが採用された装置として構成しておく。    【選択図】図１
2008193467.tif 000002
【特許請求の範囲】
【請求項１】
電源スイッチを備えたプリンタ、
電源スイッチを備えたスキャナ、及び、
前記プリンタ，前記スキャナ及び自ユニットからなる自装置を、各種機能を有する装置として動作させるための操作パネルユニットであって、
前記プリンタのＯＮ／ＯＦＦ状態と前記スキャナのＯＮ／ＯＦＦ状態とを検出するためのＯＮ／ＯＦＦ状態検出手段と、
自装置を，前記スキャナを必要としない機能のみを有する装置として動作させるための第１制御処理と、自装置を，前記プリンタを必要としない機能のみを有する装置として動作させるための第２制御処理と、自装置を，前記スキャナ及び前記プリンタが必要される機能も有する装置として動作させるための第３制御処理とを、実行可能な処理実行手段と、
前記プリンタのみがＯＮ状態である場合には，前記第１制御処理を実行し、前記スキャナのみがＯＮ状態である場合には，前記第２制御処理を実行し、前記プリンタ及び前記スキャナの双方がＯＮ状態である場合には、前記第３制御処理を実行するように、前記処理実行手段を，常時，制御する制御手段と、
前記プリンタの電源スイッチ或いは前記スキャナの電源スイッチがＯＮとなったときに、前記ＯＮ／ＯＦＦ状態検出手段，前記処理実行手段及び前記制御手段への電力の供給を開始する電力供給制御手段と
を備えた操作パネルユニット
を含むことを特徴とする複合機。
【請求項２】
前記操作パネルユニットが、
前記ＯＮ／ＯＦＦ状態検出手段，前記処理実行手段及び前記制御手段への電力の供給を一旦停止させた後、各手段への電力の供給が再開させるための再起動手段
を、さらに備えたユニットである
ことを特徴とする請求項１記載の複合機。
【請求項３】
前記プリンタが、
前記操作パネルユニットからのリブート信号のレベルがローレベルである場合には、電源スイッチがＯＮとなったときにハイレベルが変化するプリンタパワー信号を出力するプリンタパワー信号出力手段であって、前記リブート信号のレベルがハイレベルとなった場合には、出力するプリンタパワー信号のレベルをローレベルに変化させるプリンタパワー信号出力手段
を備えた装置であり、
前記スキャナが、
前記操作パネルユニットからのリブート信号のレベルがローレベルである場合には、電源スイッチがＯＮとなったときにハイレベルが変化するスキャナパワー信号を出力するスキャナパワー信号出力手段であって、前記リブート信号のレベルがハイレベルとなった場合には、出力するスキャナパワー信号のレベルをローレベルに変化させるスキャナパワー信号出力手段
を備えた装置であり、
前記操作パネルユニットの前記電力供給制御手段が、
前記プリンタパワー信号，前記スキャナパワー信号の少なくとも一方の信号のレベルがハイレベルとなったときに、前記ＯＮ／ＯＦＦ状態検出手段，前記処理実行手段及び前記制御手段への電力の供給を開始し、前記プリンタパワー信号，前記スキャナパワー信号の双方の信号のレベルがローレベルとなったときに、前記ＯＮ／ＯＦＦ状態検出手段，前記処理実行手段及び前記制御手段への電力の供給を停止する手段であり、
前記操作パネルユニットの前記再起動手段が、
再起動を行う必要がない場合には、ローレベルのリブート信号を出力する手段であって、再起動を行う必要が生じたときに、前記リブート信号のレベルをハイレベルに変更する手段である
ことを特徴とする請求項２記載の複合機。
【請求項４】
前記操作パネルユニットの前記電力供給制御手段が、
前記プリンタパワー信号，前記スキャナパワー信号の少なくとも一方の信号のレベルがハイレベルとなったときに、前記ＯＮ／ＯＦＦ状態検出手段，前記処理実行手段及び前記制御手段への電力の供給を開始し、前記プリンタパワー信号，前記スキャナパワー信号の双方の信号のレベルがローレベルであり、かつ、所定の電源制御用信号のレベルがローレベルであるときに、前記ＯＮ／ＯＦＦ状態検出手段，前記処理実行手段及び前記制御手段への電力の供給を停止する手段であり、
前記操作パネルユニットの前記再起動手段が、
再起動を行う必要がない場合に、ローレベルのリブート信号とハイレベルの電源制御用信号とを出力する手段であって、再起動を行う必要が生じたときには、前記リブート信号のレベルをハイレベルに変更してから、前記電源制御用信号のレベルをローレベルに変更する手段である
ことを特徴とする請求項３記載の複合機。
【請求項５】
前記プリンタが、
前記操作パネルユニットが情報を書き込める情報記憶手段を更に備えた装置であると共に、その情報記憶手段に所定の情報が書き込まれている状態で、前記リブート信号のレベルがハイレベルとなった場合には、前記プリンタパワー信号出力手段により、プリンタ内への各部への電力の供給を一旦停止させた後、各部への電力の供給を再開させるための再起動処理が実行される装置であり、
前記スキャナが、
前記操作パネルユニットが情報を書き込める情報記憶手段を更に備えた装置であると共に、その情報記憶手段に所定の情報が書き込まれている状態で、前記リブート信号のレベルがハイレベルとなった場合には、前記スキャナパワー信号出力手段により、プリンタ内への各部への電力の供給を一旦停止させた後、各部への電力の供給を再開させるための再起動処理が実行される装置であり、
前記操作パネルユニットの前記再起動手段が、
前記スキャナ及び／或いは前記プリンタの再起動も行う必要がある場合には、前記リブート信号のレベルをハイレベルに変更する前に、再起動を行う必要がある各装置内の前記情報記憶手段に前記所定の情報を書き込む手段である
ことを特徴とする請求項３又は請求項４に記載の複合機。
【請求項６】
前記操作パネルユニットの前記再起動手段が、
再起動を行う必要が生じたときに、プリンタが動作中であった場合には、プリンタの動作が完了してから、前記リブート信号のレベルをハイレベルに変更する手段である
ことを特徴とする請求項３乃至請求項５のいずれかに記載の複合機。
【発明の詳細な説明】
【技術分野】
【０００１】
本発明は、プリンタ，スキャナ及び操作パネルユニットを構成要素とした複合機に、関する。
【背景技術】
【０００２】
現在、市販されている複合機の中には、図６に示した構成（操作パネルユニット５３にプリンタ５１及びスキャナ５２を接続した構成）を有する複合機５０（例えば、非特許文献１参照）が、存在している。
【０００３】
この複合機５０の構成要素として用いられているプリンタ５１は、コンピュータと接続して使用可能なプリンタに、独自プロトコルによる通信を操作パネルユニット５３との間で行うためのプリンタ用Ｉ／Ｆカード５１ｃを装着した装置である。スキャナ５３は、コンピュータと接続して使用可能なスキャナに、独自プロトコルによる通信を操作パネルユニット５３との間で行うためのスキャナ用Ｉ／Ｆカード５２ｃを装着した装置である。
【０００４】
操作パネルユニット５３は、自ユニットとプリンタ５１とスキャナ５２とからなる装置（複合機５０）を、コピー機，ネットワークプリンタ，ネットワークスキャナ等として動作させるための、一般的な複合機の操作パネルと同様の外観を有するユニットである。この操作パネルユニット５３は、電源アダプタを接続しておく必要はあるが、プリンタ５１及びスキャナ５２の電源スイッチを所定時間内に入れれば、通常の制御処理（複合機５０を、全ての機能が利用可能な装置として動作させるための制御処理）を開始するように構成されたユニットとなっている。
【０００５】
すなわち、複合機５０は、２つの電源スイッチを入れるだけで起動できるように構成した装置（操作パネルユニット５３の電源スイッチを不要とした装置）なのであるが、この複合機５０は、２台目の装置（プリンタ５１或いはスキャナ５２）の電源スイッチを入れるのが遅れた場合、各装置の電源スイッチを再投入しないと、全ての機能が利用可能な状態にならない装置〔１台目の装置の電源スイッチを入れた後，所定時間内に，２台目の装置の電源スイッチを入れないと、電源投入が遅れた装置を必要とする機能を利用できない状態での動作を開始してしまい、その後、２台目の装置の電源スイッチを入れても、そのままの状態での動作を続ける装置〕となっている。
【０００６】
また、複合機５０は、ファームウェアのアップデートやＩＰアドレスの設定等の，再起動が必要な作業を行った場合、各装置の電源スイッチを再投入するといった煩雑な作業を行わなければならない装置ともなっている。
【０００７】
【非特許文献１】“Offirio CS-9000 インストールガイド”，  セイコーエプソン株式会社
【発明の開示】
【発明が解決しようとする課題】
【０００８】
そこで、本発明の第１の課題は、複合機５０と同様の構成を有する複合機であって、２台目の装置の電源スイッチを入れるのが遅れても、全ての機能が利用可能な状態での動作を開始する複合機を、提供することにある。
【０００９】
また、本発明の第２の課題は、再起動時に、電源スイッチの再投入を行う必要がない複合機を、提供することにある。
【課題を解決するための手段】
【００１０】
上記した第１の課題を解決するために、本発明では、複合機を、（１）、電源スイッチを備えたプリンタ、（２）電源スイッチを備えたスキャナ、及び、（３）プリンタ，スキャナ及び自ユニットからなる自装置を各種機能を有する装置として動作させるための操作パネルユニットであって、プリンタのＯＮ／ＯＦＦ状態とスキャナのＯＮ／ＯＦＦ状態とを検出するためのＯＮ／ＯＦＦ状態検出手段と、自装置を，スキャナを必要としない機能のみを有する装置として動作させるための第１制御処理と、自装置を，プリンタを必要としない機能のみを有する装置として動作させるための第２制御処理と、自装置を，スキャナ及びプリンタが必要される機能も有する装置として動作させるための第３制御処理とを、実行可能な処理実行手段と、プリンタのみがＯＮ状態である場合には，第１制御処理を実行し、スキャナのみがＯＮ状態である場合には，第２制御処理を実行し、プリンタ及びスキャナの双方がＯＮ状態である場合には、第３制御処理を実行するように、処理実行手段を，常時，制御する制御手段と、プリンタの電源スイッチ或いはスキャナの電源スイッチがＯＮとなったときに、ＯＮ／ＯＦＦ状態検出手段，処理実行手段及び制御手段への電力の供給を開始する電力供給制御手段とを備えた操作パネルユニットを含む装置として構成しておく。
【００１１】
すなわち、本発明の複合機の操作パネルユニットは、プリンタ及び／或いはスキャナの電源スイッチが投入されることにより、一旦、各部への電力供給が開始された後にも、プリンタ及びスキャナのＯＮ／ＯＦＦ状態を監視し、プリンタ及びスキャナのＯＮ／ＯＦＦ状態が変化した場合には、実行する制御処理を，変化後の各装置の状態に応じたものに変更するユニットとなっている。従って、この複合機は、２台目の装置の電源スイッチを入れるのが遅れても、全ての機能が利用可能な状態での動作を開始する装置となっていると言うことが出来る。
【００１２】
本発明の複合機を実現する際には、上記した第２の課題を解決することが出来るようにするために、操作パネルユニットを、ＯＮ／ＯＦＦ状態検出手段，処理実行手段及び制御手段への電力の供給を一旦停止させた後、各手段への電力の供給が再開させるための再起動手段を、さらに備えたユニットとしておくことが望ましい。なお、この再起動手段は、特殊な処理（ＩＰアドレスの設定処理や、ファームウェアのアップデータ処理）の完了後だけに使用される手段としておくことも、そのような処理の完了後と、処理実行手段に他の制御処理を開始させる際とに使用される手段としておくことも出来る。
【００１３】
また、本発明の複合機を、第２の課題を解決できる形で実現する場合には、プリンタを、操作パネルユニットからのリブート信号のレベルがローレベルである場合には、電源スイッチがＯＮとなったときにハイレベルが変化するプリンタパワー信号を出力するプリンタパワー信号出力手段であって、リブート信号のレベルがハイレベルとなった場合には、出力するプリンタパワー信号のレベルをローレベルに変化させるプリンタパワー信号出力手段を備えた装置とし、スキャナを、操作パネルユニットからのリブート信号のレベルがローレベルである場合には、電源スイッチがＯＮとなったときにハイレベルが変化するスキャナパワー信号を出力するスキャナパワー信号出力手段であって、リブート信号のレベルがハイレベルとなった場合には、出力するスキャナパワー信号のレベルをローレベルに変化させるスキャナパワー信号出力手段を備えた装置とし、操作パネルユニットの電力供給制御手段を、プリンタパワー信号，スキャナパワー信号の少なくとも一方の信号のレベルがハイレベルとなったときに、ＯＮ／ＯＦＦ状態検出手段，処理実行手段及び制御手段への電力の供給を開始し、プリンタパワー信号，スキャナパワー信号の双方の信号のレベルがローレベルとなったときに、ＯＮ／ＯＦＦ状態検出手段，処理実行手段及び制御手段への電力の供給を停止する手段とし、操作パネルユニットの再起動手段を、再起動を行う必要がない場合には、ローレベルのリブート信号を出力する手段であって、再起動を行う必要が生じたときに、リブート信号のレベルをハイレベルに変更する手段としておくことが出来る。
【００１４】
また、そのような構成を採用する際には、電力供給制御手段として、プリンタパワー信号，スキャナパワー信号の少なくとも一方の信号のレベルがハイレベルとなったときに、ＯＮ／ＯＦＦ状態検出手段，処理実行手段及び制御手段への電力の供給を開始し、プリンタパワー信号，スキャナパワー信号の双方の信号のレベルがローレベルであり、かつ、所定の電源制御用信号のレベルがローレベルであるときに、ＯＮ／ＯＦＦ状態検出手段，処理実行手段及び制御手段への電力の供給を停止する手段を採用し、再起動手段として、再起動を行う必要がない場合に、ローレベルのリブート信号とハイレベルの電源制御用信号とを出力する手段であって、再起動を行う必要が生じたときには、リブート信号のレベルをハイレベルに変更してから、電源制御用信号のレベルをローレベルに変更する手段を採用しておくことが、望ましい。何故ならば、そのような電力供給制御手段及び再起動手段を採用しておけば、両装置の電源スイッチが落とされても、操作パネルユニット内への電力供給が停止しない複合機（電源停止操作時に、操作パネルユニットに終了処理等を実行させることが可能な複合機）が、得られることになるからである。
【００１５】
また、操作パネルユニットの再起動時に、プリンタ及び／或いはスキャナの再起動も行えるようにするために、プリンタを、操作パネルユニットが情報を書き込める情報記憶手段を更に備えた装置であると共に、その情報記憶手段に所定の情報が書き込まれている状態で、リブート信号のレベルがハイレベルとなった場合には、プリンタパワー信号出力手段により、プリンタ内への各部への電力の供給を一旦停止させた後、各部への電力の供給を再開させるための再起動処理が実行される装置とし、スキャナを、操作パネルユニットが情報を書き込める情報記憶手段を更に備えた装置であると共に、その情報記憶手段に所定の情報が書き込まれている状態で、リブート信号のレベルがハイレベルとなった場合には、スキャナパワー信号出力手段により、プリンタ内への各部への電力の供給を一旦停止させた後、各部への電力の供給を再開させるための再起動処理が実行される装置とし、操作パネルユニットの再起動手段を、スキャナ及び／或いはプリンタの再起動も行う必要がある場合には、リブート信号のレベルをハイレベルに変更する前に、再起動を行う必要がある各装置内の情報記憶手段に所定の情報を書き込む手段としておくことも出来る。
【００１６】
また、操作パネルユニットの再起動手段を、再起動を行う必要が生じたときに、プリンタが動作中であった場合には、プリンタの動作が完了してから、リブート信号のレベルをハイレベルに変更する手段としておくことも出来る。
【発明を実施するための最良の形態】
【００１７】
以下、本発明を実施するための最良の形態を、図面を参照して詳細に説明する。
【００１８】
《第１実施形態》
まず、図１及び図２を用いて、本発明の第１実施形態に係る複合機１０の概要を説明する。
【００１９】
図１に示してあるように、本発明の第１実施形態に係る複合機１０は、プリンタ用Ｉ／Ｆカード１１ｃが装着されているプリンタ１１と，スキャナ用Ｉ／Ｆカード１２ｃが装着されているスキャナ１２とを、操作パネルユニット１３に接続した装置である。
【００２０】
本複合機１０のプリンタ１１に装着されているプリンタ用Ｉ／Ｆカード１１ｃは、独自プロトコルによる通信を操作パネルユニット１３との間で行うための通信制御用ＡＳＩＣを，主要な構成要素としたインタフェースカードである。
【００２１】
このプリンタ用Ｉ／Ｆカード１１ｃ上の通信制御用ＡＳＩＣは、操作パネルユニット１３がリブート指示情報（本実施形態では、“１”）を書き込めるリブート指示情報レジスタ（通常は、“０”を記憶しているレジスタ）、プリンタパワー信号の出力端子，プリンタリブート信号の入力端子等を備えたものとなっている。
【００２２】
プリンタ用Ｉ／Ｆカード１１ｃ上の通信制御用ＡＳＩＣへ入力されるプリンタリブート信号は、再起動を行う必要が生じた場合（詳細は後述）に、操作パネルユニット１３が、そのレベルをハイレベルに変更する信号である。また、通信制御用ＡＳＩＣが出力するプリンタパワー信号は、操作パネルユニット１３へ供給される信号である。このプリンタパワー信号は、プリンタ１１の電源スイッチが入れられている場合（通信制御用ＡＳＩＣに電力が供給されている場合）に、通信制御用ＡＳＩＣが、ハイレベルのものを出力する信号となっている。
【００２３】
ただし、通信制御用ＡＳＩＣは、リブート指示情報がリブート指示情報レジスタに記憶されていない状態で、プリンタリブート信号のレベルがハイレベルに変化した場合には、プリンタパワー信号のレベルをローレベルに変更するＡＳＩＣ（その後、プリンタリブート信号のレベルがローレベルに変化したときに、プリンタパワー信号のレベルをハイレベルに戻すＡＳＩＣ）となっている。
【００２４】
さらに、通信制御用ＡＳＩＣは、リブート指示情報がリブート指示情報レジスタに記憶されている状態で、プリンタリブート信号のレベルがハイレベルに変化した場合には、プリンタ１１内の制御部（ＣＰＵ，ＲＯＭ，ＲＡＭ等からなるユニット）に再起動処理（プリンタ１１への各部への電力供給が，一旦停止した後，再開することになる処理）を行わせるＡＳＩＣとなっている。
【００２５】
スキャナ１２に装着されているスキャナ用Ｉ／Ｆカード１２ｃも、上記した通信制御用ＡＳＩＣと同様の機能を有する通信制御用ＡＳＩＣ（上記した通信制御用ＡＳＩＣと、通信制御機能のみが異なる通信制御用ＡＳＩＣ）を，主要な構成要素としたインタフェースカードとなっている。
【００２６】
すなわち、スキャナ用Ｉ／Ｆカード１２ｃに搭載されている通信制御用ＡＳＩＣは、操作パネルユニット１３がリブート指示情報を書き込めるリブート指示情報レジスタ、スキャナパワー信号の出力端子，スキャナリブート信号の入力端子等を備えたＡＳＩＣであると共に、リブート指示情報がリブート指示情報レジスタに記憶されていない状態では、入力されているスキャナリブート信号のレベルに応じて、出力するスキャナパワー信号のレベルを変更する回路として機能するＡＳＩＣとなっている。また、通信制御用ＡＳＩＣは、リブート指示情報がリブート指示情報レジスタに記憶されている状態では、ハイレベルのスキャナパワー信号を動作中は出力する回路であって、スキャナリブート信号のレベルがハイレベルに変化した際には、スキャナ１２内の制御部に再起動処理を行わせる回路として機能するＡＳＩＣとなっている。
【００２７】
操作パネルユニット１３は、自ユニットとプリンタ１１とスキャナ１２とからなる装置（複合機１０）を、コピー機，ネットワークプリンタ，ネットワークスキャナ等として動作させるためのユニットである。この操作パネルユニット１３は、図示してあるように、メイン基板２０と，ＬＣＤと，タッチパネルと，スイッチ基板（各種スイッチが実装されている基板）とを、主な構成要素としたユニットとなっている。
【００２８】
操作パネルユニット１３内のメイン基板２０は、複合機用ＡＳＩＣ２１，ＣＰＵ２２，ネットワークインタフェース回路（NW-I/F）等が実装されている基板である。このメイン基板２０は、操作パネルユニット１３内の各部への電力の供給のＯＮ／ＯＦＦを行うためのＯＮ／ＯＦＦ機能付パワーＩＣ（以下、パワーＩＣとも表記する）が，図２に示したような形で実装されている基板となっている。
【００２９】
すなわち、メイン基板２０は、スキャナ１２からのスキャナパワー信号（SCNPWR），プリンタ１１からのプリンタパワー信号（PRNPWR），ＣＰＵ２２からのスイッチパワー信号（SWPWR）のいずれかがハイレベルとなったときに、パワーＩＣがＯＮとなり、それら３種の信号のレベルが全てローレベルになったときに、パワーＩＣがＯＦＦとなるように構成された基板となっている。
【００３０】
さらに、メイン基板２０は、スキャナパワー信号及びプリンタパワー信号が複合機用ＡＳＩＣ２１に供給され、複合機用ＡＳＩＣ２１が出力するリブート信号（REBOOT）が、スキャナリブート信号（SCNREBOOT）及びプリンタリブート信号（PRNREBOOT）として出力されるように構成された基板となっている。また、メイン基板２０は、複合機用ＡＳＩＣ２１とＣＰＵ２２とが割込信号線にて接続された基板ともなっている。
【００３１】
以上のことを前提に、以下、本実施形態に係る複合機１０の構成及び動作を、さらに具体的に説明する。
【００３２】
複合機１０（操作パネルユニット１３）のメイン基板２０に実装されている複合機用ＡＳＩＣ２１は、プリンタ１１との間の通信制御処理，スキャナ１２との間の通信制御処理，メモリ制御処理、画像処理等を行えるＡＳＩＣ（ＣＰＵ２２の負荷を低減するために設けられているＡＳＩＣ）である。
【００３３】
この複合機用ＡＳＩＣ２１内には、図３に示したようなステータス情報レジスタ、すなわち、第０，第１，第２，第３ビットが、それぞれ、プリンタ状態ビット，スキャナ状態ビット，プリンタ前状態ビット，スキャナ前状態ビットとして使用されるステータス情報レジスタが、設けられている。そして、複合機用ＡＳＩＣ２１は、入力されているスキャナパワー信号及び／或いはプリンタパワー信号のレベルが変化したことを検出した場合、その時点におけるプリンタ状態ビットの値，スキャナ状態ビットの値を，それぞれ、プリンタ前状態ビット，スキャナ前状態ビットに設定する処理と、変化後の各パワー信号のレベルに応じた値（ハイレベルである場合が、“１”）を，プリンタ状態ビット及びスキャナ状態ビットに設定する処理とを行ってから、ＣＰＵ２２に対して割込信号を出力するＡＳＩＣとなっている。
【００３４】
また、複合機用ＡＳＩＣ２１は、プリンタ１１やスキャナ１２内のリブート指示情報レジスタにリブート指示情報を書き込む処理やハイレベルのリブート信号を出力する処理（ＣＰＵ２２から指示された内容の処理）を行えるＡＳＩＣとなっている。
【００３５】
一方、操作パネルユニット１１のファームウェアは、ＣＰＵ２２に、図４及び図５に示した手順の処理を行わせるものとなっている。
【００３６】
すなわち、パワーＩＣがＯＮとなった結果として電力の供給が開始されたＣＰＵ２２は、まず、スイッチパワー信号（ＳＷＰＷＲ）のレベルをハイレベルとする処理（ハイレベルのスイッチパワー信号の出力を開始する処理；ステップＳ１０１）を行う。
【００３７】
その後、ＣＰＵ２２は、メモリ等をチェックする処理（図示せず）を行ってから、複合機用ＡＳＩＣ２１内のステータス情報レジスタ（図３参照）の第０〜第３ビットの値（以下、ステータス情報と表記する）を読み出し、読み出したステータス情報に基づき，現在、ＯＮ状態となっている装置（プリンタ１１，スキャナ１２）を把握する処理（ステップＳ１０２）を行う。
【００３８】
その後、ＣＰＵ２２は、把握結果に応じた制御処理（後述する各ステップの処理と並行的に実行される処理）を開始する（ステップＳ１０３）。
【００３９】
ＣＰＵ２２が実行可能な制御処理としては、複合機１０を，スキャナ１２を必要としない機能のみを有する装置（プリンタ１１と操作パネルユニット１３のみからなる装置）として動作させるための第１制御処理と、複合機１０を，プリンタ１１を必要としない機能のみを有する装置（スキャナ１２と操作パネルユニット１３のみからなる装置）として動作させるための第２制御処理と、複合機１０を，スキャナ１２及びプリンタ１１が必要される機能も有する装置（全ての機能が利用可能な装置）として動作させるための第３制御処理とが存在している。そして、ステップＳ１０３でＣＰＵ２２が実行する処理は、プリンタ１１のみがＯＮ状態であった場合には、第１制御処理を開始し、スキャナ１２のみがＯＮ状態であった場合には、第２制御処理を開始し、プリンタ１１及びスキャナ１２の双方がＯＮ状態であった場合には、第３制御処理を開始する処理となっている。なお、ＣＰＵ２２が実行可能な各制御処理は、他の制御処理をＣＰＵ２２に開始させるために、操作パネルユニット１３の再起動が必要な処理となっている。
【００４０】
ステップＳ１０３の処理を終えたＣＰＵ２２（第１，第２或いは第３制御処理を開始したＣＰＵ２２）は、複合機用ＡＳＩＣ２１からの割込信号の入力と、再起動が必要な処理（ＩＰアドレスの設定処理，ファームウェアのアップデート処理等；以下、再起動要処理と表記する）の完了とを監視する処理（ステップＳ１０４）を開始し、複合機用ＡＳＩＣ２１から割込信号が入力された場合（ステップＳ１０４；割込）には、ステータス情報を複合機用ＡＳＩＣ２１内のステータス情報レジスタから読み出す処理（ステップＳ１０５）を行う。
【００４１】
そして、ＣＰＵ２２は、複合機用ＡＳＩＣ２１から読み出したリブート情報が“ＸＸ００”（Ｘ＝０，１）であった場合（ステップＳ１０６；ＸＸ００）には、スイッチパワー信号（ＳＷＰＷＲ）のレベルをローレベルに変更する処理（ステップＳ１０８）を行う。
【００４２】
既に説明したように、メイン基板２０は、スキャナパワー信号，プリンタパワー信号，スイッチパワー信号のレベルが全てローレベルになった際に、パワーＩＣがＯＦＦとなるように構成された基板（図２参照）となっている。そして、ステップＳ１０８の処理が行われるのは、ローレベルのスキャナパワー信号とローレベルのプリンタパワー信号が入力されている場合（プリンタ１１とスキャナ１２の電源スイッチが切られた場合）であるので、結局、この場合、操作パネルユニット１１内の各部への電力供給が停止されることになる。
【００４３】
また、ＣＰＵ２２は、複合機用ＡＳＩＣ２１から読み出したリブート情報が，“１１０１”或いは“１１１０”であった場合（ステップＳ１０６；１１０１等）には、複合機１０を、電源スイッチが切られた方の装置を必要とする機能を利用できない装置として動作させるための機能制限処理（ステップＳ１０７）を行ってから、ステップＳ１０４の処理を再び開始する。なお、ステップＳ１０７で実際に行われる処理は、実行中の第３制御処理の内容を、各種操作画面として、“電源スイッチが切られた方の装置を必要とする機能に関する機能選択用アイテムがグレー表示される操作画面”を表示するものに変更する処理である。
【００４４】
また、ＣＰＵ２２は、複合機用ＡＳＩＣ２１から読み出したリブート情報が，“０１１０”，“１００１”，“０１１１”，“１０１１”のいずれかであった場合（ステップＳ１０６；０１１０等）には、複合機用ＡＳＩＣ２１に対して，ハイレベルのリブート信号の出力を指示する処理（ステップＳ１０９）を行ってから、ステップＳ１０４の処理を開始する。
【００４５】
既に説明したように、プリンタ１１／スキャナ１２内には、入力されているプリンタリブート信号／スキャナリブート信号がハイレベルに変化した場合、出力するプリンタパワー信号／スキャナパワー信号のレベルをローレベルに変化させる通信制御ＡＳＩＣが設けられている。また、複合機用ＡＳＩＣ２１は、プリンタパワー信号／スキャナパワー信号のレベルが変化した場合、ステータス情報の書換を行ってから、割込信号を出力するＡＳＩＣとなっている。
【００４６】
そして、この場合、書換後のステータス情報は、“ＸＸ００”となるため、ステップＳ１０９の処理を行ったＣＰＵ２２（ステップＳ１０９の処理を行った結果として複合機用ＡＳＩＣ２１が出力した割込信号の入力を受けたＣＰＵ２２）は、ステップＳ１０８の処理を実行することになる。
【００４７】
また、ステップＳ１０８の処理が実行されると、パワーＩＣがＯＦＦとなるため（複合機用ＡＳＩＣ２１への電力供給が停止されるため）、複合機用ＡＳＩＣ２１からのリブート信号のレベルがローレベルに変化する。そして、プリンタ１１／スキャナ１２内の通信制御ＡＳＩＣは、プリンタリブート信号／スキャナリブート信号のレベルがローレベルに変化した場合、出力するプリンタパワー信号／スキャナパワー信号のレベルをハイレベルに変更するＡＳＩＣとなっている。また、メイン基板２０は、スキャナパワー信号，プリンタパワー信号，スイッチパワー信号のいずれかがハイレベルとなった際に、パワーＩＣがＯＮとなる基板となっている。このため、複合機用ＡＳＩＣ２１から読み出したリブート情報が，“０１１０”，“１００１”，“０１１１”，“１０１１”のいずれかであった場合、ＣＰＵ２２は、最終的には、図４の処理の始めから開始することになる。そして、その結果として、複合機１０は、その時点におけるプリンタ１１／スキャナ１２のＯＮ／ＯＦＦ状態に応じた制御処理がＣＰＵ２２によって実行されている状態での動作を開始することになる。
【００４８】
また、ＣＰＵ２２は、再起動用処理（その完了時に、再起動が必要な処理）が完了した場合（ステップＳ１０４；再起動要処理完）には、図５に示してあるように、プリンタ１１がＯＮ状態であるか否かを判断する（ステップＳ１１１）。そして、ＣＰＵ２２は、プリンタ１１がＯＮ状態でなかった場合（ステップＳ１１１；ＮＯ）には、再起動を行って良いか否かをユーザに問い合わせるための，ＯＫボタンを備えた確認画面をＬＣＤに表示させる処理（ステップＳ１１３）を行う。また、ＣＰＵ２２は、プリンタ１１がＯＮ状態であった場合（ステップＳ１１１；ＹＥＳ）には、プリンタ１１が未使用状態になるのを待機する処理，或いは，プリンタ１１が未使用状態であることを確認する処理をステップＳ１１２にて行ってから、ステップＳ１１３の処理を行う。
【００４９】
そして、ＣＰＵ２２は、確認画面上のＯＫボタンを押下する操作がなされたことを検出したとき（ステップＳ１１４；ＹＥＳ）に、複合機用ＡＳＩＣ２１に対して，ハイレベルのリブート信号の出力を指示する処理（ステップＳ１１５）を行う。なお、このステップＳ１１５の処理は、必要である場合（完了した再起動要処理が，プリンタ１１及び／或いはスキャナ１２も再起動する必要があるものであった場合）には、複合機用ＡＳＩＣ２１に対して，プリンタ１１及び／或いはスキャナ１２内のリブート指示情報レジスタへのリブート指示情報の書き込みを指示する処理も行われる処理となっている。
【００５０】
以上の説明から明らかなように、本実施形態に係る複合機１０の操作パネルユニット１３は、プリンタ１１及び／或いはスキャナ１２の電源スイッチが投入されることにより、一旦、各部への電力供給が開始された後にも、プリンタ１１及びスキャナ１２のＯＮ／ＯＦＦ状態を監視し、プリンタ１１及びスキャナ１２のＯＮ／ＯＦＦ状態が変化した場合には、実行する制御処理を，変化後の各装置の状態に応じたものに変更するユニットとなっている。従って、この複合機１０は、２台目の装置の電源スイッチを入れるのが遅れても、全ての機能が利用可能な状態での動作を開始する装置（２台目の装置の電源スイッチを入れるのが遅れても、電源の再投入を行う必要がない装置）となっていると言うことが出来る。
【００５１】
また、複合機１０は、再起動要処理を行った後、電源スイッチを操作しなくても、再起動することが出来る装置となっている。従って、複合機１０は、再起動要処理を行った後に電源スイッチの操作が必要な既存の複合機５０よりも、ユーザにとって使いやすい装置となっていると言うことも出来る。
【００５２】
《変形形態》
上記した複合機１０は、各種の変形を行うことが出来る。例えば、複合機１０を、ＣＰＵ２２に実行させる制御処理を変更時に、再起動が不必要な装置に変形することが出来る。また、操作パネルユニット１３のメイン基板２０を、スイッチパワー信号関連の回路がない基板に変形することも出来る。ただし、メイン基板２０を、そのような基板に変形しておくと、プリンタ１１及びスキャナ１２の電源スイッチが切られた場合、即座に、操作パネルユニット１１内の各部への電力供給が停止する複合機１０（プリンタ１１及びスキャナ１２の電源スイッチが切られた後には、操作パネルユニット１３を動作させることが出来ない複合機１０）が得られてしまうことになる。このため、メイン基板２０は、上記したような構成のもの（スイッチパワー信号関連の回路があるもの）としておくことが望ましい。
【図面の簡単な説明】
【００５３】
【図１】実施形態に係る複合機の構成図。
【図２】実施形態に係る複合機の操作パネルユニット内に設けられているメイン基板の説明図。
【図３】複合機用ＡＳＩＣ内のステータス情報レジスタの説明図。
【図４】操作パネルユニット内のＣＰＵが実行する処理の流れ図。
【図５】操作パネルユニット内のＣＰＵが実行する処理の流れ図。
【図６】既存の複合機の構成図。
【符号の説明】
【００５４】
１０，５０  複合機
１１，５１  プリンタ、  １１ｃ、５１ｃ  プリンタ用Ｉ／Ｆカード
１２，５２  スキャナ、  １２ｃ、５２ｃ  スキャナ用Ｉ／Ｆカード
２０  メイン基板、  ２１  複合機用ＡＳＩＣ、  ２２  ＣＰＵ
【図１】
2008193467.tif 000003
【図２】
2008193467.tif 000004
【図３】
2008193467.tif 000005
【図４】
2008193467.tif 000006
【図５】
2008193467.tif 000007
【図６】
2008193467.tif 000008